(57)【特許請求の範囲】
【請求項１】
無線ネットワークを介した少なくとも１つのＵＥと少なくとも１つのｇＮＢとの間の通信方法であって、前記方法は、
前記ＵＥから次世代ノードＢ（ｇＮＢ：next generation nodeB）に測定報告を送信することと、
前記ｇＮＢに保存された隣接関係（ＮＲ：Neighbour Relation）テーブル内のターゲットセルのＵＥモビリティ制限をチェックすることと、
前記ｇＮＢによる前記ターゲットセルの許可に基づいてハンドオーバを実行することと、
前記ｇＮＢによる前記ターゲットセルの不許可に基づいて前記ターゲットセルへのハンドオーバを制限することと、
を備え、
前記ｇＮＢは、前記ＵＥに、前記ｇＮＢによる前記不許可の前記ターゲットセルの前記測定報告を再送するように通知する、
通信方法。
【請求項２】
無線ネットワークを介した少なくとも１つのＵＥと少なくとも１つのｇＮＢとの間の通信方法であって、前記方法は、
前記ＵＥによってトラッキングエリア更新（ＴＡＵ：Tracking Area Update）手順をトリガし、
前記ＵＥによって前記ｇＮＢを介してＴＡＵリクエストを新アクセス管理機能（ＡＭＦ：Access Management Function）に送信し、
前記新ＡＭＦによってコンテキストリクエストメッセージを旧ＡＭＦに送信し、前記旧ＡＭＦはＵＥコンテキストを前記新ＡＭＦに送信し、
前記新ＡＭＦによって前記ＵＥの場所を統合データ管理（ＵＤＭ：Unified Data Management）に更新し、
前記新ＡＭＦのポリシー制御機能（ＰＣＦ：Policy Control Function）によってＵＥモビリティの前記ポリシーを検証し、
前記新ＡＭＦによって前記ｇＮＢへのＵＥモビリティ制限を更新し、
前記ｇＮＢのデータベースに前記ＵＥモビリティ制限を保存し、
前記ｇＮＢによってＵＥモビリティ制限更新の確認を前記新ＡＭＦに送信し、
前記新ＡＭＦによってＴＡＵ  ＡＣＣＥＰＴメッセージを前記ＵＥに送信し、
前記ＵＥのデータベースに前記ＵＥモビリティ制限を保存し、
前記ＵＥによってＴＡＵ  ＣОＭＰＬＥＴＥメッセージを前記新ＡＭＦに送信する、
ステップを備える通信方法。
【請求項３】
Ｘｎハンドオーバの場合、前記新ＡＭＦは、パス切り替えレスポンスで前記ＵＥモビリティ制限を前記ｇＮＢに送信することを含む、
請求項２に記載の通信方法。
【請求項４】
前記新ＡＭＦは、ハンドオーバコマンドで前記ＵＥモビリティ制限を前記ＵＥに送信している、
請求項２または３に記載の通信方法。
【請求項５】
無線ネットワーク内の通信のためのユーザ機器であって、
次世代ノードＢ（ｇＮＢ：next generation nodeB）に測定報告を送信するように構成されたプロセッサを備え、
前記ｇＮＢは、前記ｇＮＢに保存された隣接関係（ＮＲ：Neighbour Relation）テーブル内のターゲットセルのＵＥモビリティ制限をチェックし、前記ｇＮＢによって許可している前記ターゲットセルの許可に基づいてハンドオーバを実行し、
前記ｇＮＢは、さらに前記ターゲットセルの不許可の前記ターゲットセルへのハンドオーバを制限するように構成され、
前記ｇＮＢは、前記プロセッサに、前記不許可の前記ターゲットセルの前記測定報告を再送させるように構成される、
ユーザ機器。
【請求項６】
前記ｇＮＢは、前記プロセッサからの前記測定報告の受信時に許可された前記ターゲットセルを検証するように構成される、
請求項５に記載のユーザ機器。
【請求項７】
前記ＮＲテーブル内の前記ターゲットセルに対する前記ＵＥモビリティ制限は、自動隣接関係機能（ＡＮＲ：Automatic Neighbour Relation function）のエントリにマッピングされる、
請求項５に記載のユーザ機器。
【請求項８】
前記ｇＮＢは、前記ターゲットセルごとの前記ＵＥモビリティ制限のためのアクセス管理機能（ＡＭＦ：Access Management Function）へのセットアップリクエストを含むリクエストメッセージを送信するように構成される、
請求項５に記載のユーザ機器。
【請求項９】
前記ｇＮＢは、前記ＡＭＦからレスポンスを受信すると前記ＮＲテーブルを更新するように構成され、前記レスポンスは、ターゲットセル識別子ごとの前記ＵＥモビリティ制限を含む、
請求項８に記載のユーザ機器。
【請求項１０】
前記ｇＮＢは、前記ＡＭＦの構成の更新を含むリクエストメッセージを送信するように構成され、前記ＡＭＦから前記レスポンスを受信すると前記ターゲットセル識別子ごとに前記ＵＥモビリティ制限を変更することによって前記ＮＲテーブルを更新する、
請求項９に記載のユーザ機器。
【発明の詳細な説明】
【技術分野】
【０００１】
本発明は、通信方法に関する。特に、本発明は、アクティブ状態にある間にユーザ機器が禁止ゾーンに移動するのを防ぐ方法に関する。
【背景技術】
【０００２】
モバイル通信は着実に進化し、異なる実装のパフォーマンスが大幅に向上している。スマートフォンでの高度な技術のプロビジョニングにより、高度な技術の信頼性がさらに向上した。さらに、高度なテクノロジー向けにプロビジョニングされた新しいアプリケーションも、最小限のインフラストラクチャでそのようなテクノロジーの需要を増やしている。また、第４世代のテクノロジーは、モバイルネットワークのトラフィックを増加させ、需要の高まりによりモバイルネットワークを多様化した。
【０００３】
さらに、モバイルネットワークでは、従来のモバイルネットワークで隣接セルを手動でプロビジョニングおよび管理することは困難な作業であり、２Ｇ／３Ｇセルが既に存在する間に新しいモバイル技術が展開されるにつれて、より困難になる。ＬＴＥの場合、ｅＮＢのＬＴＥ内の隣接関係を定義することに加えて、オペレータは隣接する２Ｇ、３Ｇ、ＣＤＭＡ２０００セルもプロビジョニングする必要があるため、オペレータにとって作業は困難になる。さらに、モバイルネットワークもいくつかのモバイル制限で構成されている。
【０００４】
TS 23.501 V0.4.0(2017-04)条項は、ＲＡＴ制限、禁止エリア、およびサービスアクセス制限のモビリティの制限は、以下に示すとしている。
【０００５】
ＲＡＴの制限：
３ＧＰＰ無線アクセス技術を定義し、ＵＥはアクセスを許可されない。制限付きＲＡＴでは、ＵＥはネットワークとの通信の開始を許可されない。
【０００６】
禁止エリア：
所定のＲＡＴの下の禁止エリアでは、ＵＥはネットワークとの通信の開始を許可されない。
【０００７】
サービスアクセス制限：
ＵＥがネットワークとの通信を開始する場合としない場合があるエリアを次のように定義する。
【０００８】
許可エリア：
所定のＲＡＴの下の許可エリアでは、ＵＥは、サブスクリプションで許可されているネットワークとの通信の開始を許可される。
【０００９】
不許可エリア：
所定のＲＡＴの下で不許可エリアでは、ＵＥはサービスアクセスが制限される。ＵＥは、サービスリクエストまたはＳＭシグナリングを開始してユーザサービスを取得することを許可されない（ＣＭ−ＩＤＬＥ状態とＣＭ−ＣＯＮＮＥＣＴＥＤ状態の両方で）。ＵＥは、モビリティに起因する定期的な登録更新と通常の登録更新を実行する。不許可エリアのＵＥは、コアネットワークページングにレスポンスする。
【００１０】
所定のＵＥについて、コアネットワークは、ＵＥサブスクリプション情報に基づいてサービスエリアの制限を決定する。オプションで、許可エリアは、例えば、ＵＥの場所とネットワークポリシーに基づくＰＣＦによってさらに微調整してもよい。サービスエリアの制限は、たとえば、サブスクリプション、場所、および／またはポリシーの変更が原因で変更できる。サービスエリアの制限は、登録手続き中に更新されてもよい。
【００１１】
さらに、TS 36.300 V14.2.0(2017-03)条項の22.3.2aは、ｅＮＢに存在し、隣接関係テーブル（ＮＲＴ：Neighbour Relation Table）を管理する自動隣接関係機能に言及している。
【００１２】
各ＮＲのＮＲＴは、ターゲットセルを識別するターゲットセル識別子（ＴＣＩ：Target Cell Identifier）を含む。Ｅ−ＵＴＲＡＮの場合、ＴＣＩはターゲットセルのＥ−ＵＴＡＮセルグローバル識別子（ＥＣＧＩ：E-UTAN Cell Global Identifier）および物理セル識別子（ＰＣＩ：Physical Cell Identifier）に対応する。さらに、各ＮＲは、Ｎｏ  Ｒｅｍｏｖｅ、ＮｏＨＯ、およびＮｏＸ２属性の３つの属性を有する。
【００１３】
また、それは、「ｅＮＢは、Ｘ２インタフェースが動作している間、隣接するｅＮＢをサービス対象セルの完全なリストで更新し続ける」ことにも言及する。
【００１４】
３ＧＰＰ仕様によれば、自動隣接関係（ＡＮＲ：Automatic Neighbour Relation）機能の目的は、隣接関係（ＮＲ：Neighbour Relations）を手動で管理する負担からオペレータを解放することである。
【００１５】
図１は、３ＧＰＰによるＡＮＲとその環境を示す。図１は、ＡＮＲによるｅＮＢとＯ＆Ｍとの間の相互作用を示す。
【００１６】
ＡＮＲ内にある隣接検出機能は、新しい隣接（Neighbour）を見つけてＮＲＴに追加する。ＡＮＲは、古いＮＲを削除する隣接削除機能も含む。隣接検出機能と隣接削除機能は実装固有である。
【００１７】
ソースセルからターゲットセルへの既存の隣接セル関係（ＮＲ：Neighbour cell Relation）は、ソースセルを制御するｅＮＢがターゲットセルのＥＣＧＩ／ＣＧＩおよび物理セル識別子（ＰＣＩ：Physical Cell Identifier）を知っており、ターゲットセルを識別するソースセルのＮＲＴにエントリがあることを意味します。
【００１８】
ｅＮＢが持つ各セルに対して、ｅＮＢはＮＲＴを保持する。各ＮＲのＮＲＴは、ターゲットセルを識別するターゲットセル識別子（ＴＣＩ：Target Cell Identifier）を含む。Ｅ−ＵＴＲＡＮの場合、ＴＣＩはターゲットセルのＥ−ＵＴＡＮセルグローバル識別子（ＥＣＧＩ：E-UTAN Cell Global Identifier）および物理セル識別子（ＰＣＩ：Physical Cell Identifier）に対応する。
【００１９】
ＡＮＲ機能は、グローバルレベルでのそれらの識別をブロードキャストするセル、Ｅ−ＵＴＲＡＮセルグローバル識別子（ＥＣＧＩ：E-UTRAN Cell Global Identifier）に依存しており、Ｏ＆ＭがＮＲＴを管理することを許可する。Ｏ＆Ｍは、ＮＲを追加および削除できる。Ｏ＆Ｍは、ＮＲＴの属性を変更することもできる。Ｏ＆Ｍシステムには、ＮＲＴの変更が通知される。
【００２０】
しかしながら、５Ｇネットワーク内のＵＥが特定のスライスからサービスを受けている場合、制限ゾーンにハンドオーバされる可能性がある。その結果、ＵＥはサービスアクセスを失い、ネットワークとの接続を開始することができない。さらに、モビリティ制限に関する情報が改ざんされる可能性があり、その結果、ＵＥが禁止ゾーンにランディング（landing）する可能性がある。
【００２１】
したがって、ＵＥが特定のスライスでサービスされている間、ＵＥは許可ゾーン内に留まり、禁止ゾーンに移動せず、モビリティ制限に関する情報を改ざんされないようにする必要がある（整合性保護が必要）。
【発明の概要】
【発明が解決しようとする課題】
【００２２】
以下は、主題の実施形態のいくつかの態様の基本的な理解を提供するために、主題の簡略化された概要を提示する。この概要は、主題の広範な概要ではない。実施形態の重要な／重要な要素を特定すること、または主題の範囲を線引きすることは意図されていない。
【００２３】
上述の問題を克服するために、本発明は、一態様では、隣接セル情報に加えてモビリティ制限を含むように隣接関係テーブルを拡張することにより、問題を解決できる提案を行う。
【課題を解決するための手段】
【００２４】
本発明の別の態様では、隣接セル制限情報を（ＵＥごとに）ＵＥ、ｇＮＢ、ＵＥおよびｇＮＢに送信することが提案される。
【００２５】
本発明のさらなる態様は、モビリティ制限をＴＡリストにマッピングし、これをハンドオーバ中にハンドオーバ制限リストとともに送信することを提供する。
【００２６】
本発明により提案される解決策は、所与の位置におけるＵＥ＆ｇＮＢへのモビリティ制限の安全なプロビジョニング、接続状態中の制限エリアへのＵＥ移動の防止、トラッキングエリアリストによるモビリティ制限のマッピング、およびＮＲテーブル機能の拡張という技術的利点を提供する。
【００２７】
本発明の一実施形態では、ユーザ機器（ＵＥ：User Equipment）のための方法が提供され、前記方法は、前記ＵＥから次世代ノードＢ（ｇＮＢ：generation nodeB）に測定報告を送信することと、前記ｇＮＢに保存された隣接関係（ＮＲ：Neighbour Relation）テーブル内のターゲットセルのモビリティ制限をチェックすることと、前記ｇＮＢによる前記ターゲットセルの許可に基づいてハンドオーバを実行することと、前記ｇＮＢによる前記ターゲットセルの不許可に基づいて前記セルへのハンドオーバを制限することと、を備え、前記ｇＮＢは、前記ＵＥに、前記ｇＮＢによる不許可の前記ターゲットセルの前記測定報告を再送するように通知する。前記ｇＮＢは、前記ＵＥからの前記測定報告の受信時に前記許可されたターゲットセルを検証し、前記ＮＲテーブル内の前記セルに対する前記モビリティ制限は、自動隣接関係機能（ＡＮＲ：Automatic Neighbour Relation function）の前記エントリにマッピングされる。
前記ｇＮＢは、ターゲットセルごとの前記モビリティ制限のためのアクセス管理機能（ＡＭＦ：Access Management Function）へのセットアップリクエスト（SETUP request）を含むリクエストメッセージを送信し、前記ｇＮＢは、前記ＡＭＦから前記レスポンスを受信すると前記ＮＲテーブルを更新し、前記レスポンスは、ターゲットセル識別子ごとのモビリティ制限を含む。前記ｇＮＢは、前記ＡＭＦの構成の更新を含むリクエストメッセージをさらに送信し、前記ＡＭＦから前記レスポンスを受信するとターゲットセル識別子ごとに前記モバイル制限を変更することによって前記ＮＲテーブルを更新する。
【００２８】
本発明の別の実施形態では、無線ネットワークを介した少なくとも１つのＵＥと少なくとも１つのｇＮＢとの間の通信方法が提供され、ＡＴＴＡＣＨ（ＡＣＨ）リクエストメッセージが前記ＵＥからＡＭＦに送信され、前記ＵＥが認証される。前記ＡＭＦは、前記ＵＥのサブスクリプションと場所情報を検証し、ポリシー制御機能（ＰＣＦ：Policy Control Function）によってＵＥモビリティの前記ポリシーが検証される。それから、モビリティ制限の情報を含むＮＡＳ  ＳＭコマンドメッセージが前記ＡＭＦによって前記ＵＥに送信される。前記モビリティ制限は、前記ＵＥのデータベースに保存される。さらに、前記ＵＥによって前記ＮＡＳ  ＳＭ完了メッセージが整合性保護メッセージで前記ＡＭＦに送信され、前記整合性保護メッセージで前記ＵＥによって送信され、前記ＡＭＦによって前記受信された前記モビリティ制限が検証され、その後、前記ＵＥモビリティ制限が前記ＡＭＦによって前記ｇＮＢに送信される。
【００２９】
本発明の別の実施形態は、無線ネットワークを介した少なくとも１つのＵＥと少なくとも１つのｇＮＢとの間の通信方法を提供し、ＡＴＴＡＣＨリクエストメッセージが前記ＵＥからＡＭＦに送信され、前記ＵＥが認証される。前記ＵＥによってＮＡＳ  ＳＭが前記ＡＭＦに。前記ＡＭＦは、前記ＵＥの場所情報、ｇＮＢのＩＤおよび前記Ｅ−ＵＴＲＡＮセルグローバル識別子（ＥＣＧＩ：E-UTRAN Cell Global Identifier）リストの整合性を検証し、初期コンテキストセットアップリクエストメッセージを前記ｇＮＢに送信する。さらに、前記ＵＥモビリティ制限が前記ｇＮＢのデータベースに保存され、その後、前記ＵＥとＡＳセキュリティが確立し、前記ＵＥが前記ＡＳセキュリティを前記ｇＮＢと確認する。
【００３０】
本発明の別の実施形態は、無線ネットワークを介した少なくとも１つのＵＥと少なくとも１つのｇＮＢとの間の方法が提供され、前記ＵＥによってトラッキングエリア更新（ＴＡＵ：Tracking Area Update）手順がトリガされ、前記ＵＥによって前記ｇＮＢを介してＴＡＵリクエストが前記新ＡＭＦに送信される。さらに、前記新ＡＭＦによってコンテキストリクエストメッセージが前記旧ＡＭＦに送信され、前記旧ＡＭＦは前記ＵＥコンテキストを前記新ＡＭＦに送信する。前記ＵＥの前記場所が前記新ＡＭＦで統合データ管理（ＵＤＭ：Unified Data Management）に更新し、ＰＣＦが前記新ＡＭＦのためのＵＥモビリティの前記ポリシーを検証する。前記新ＡＭＦが前記ｇＮＢへの前記ＵＥモビリティ制限を更新する。前記ｇＮＢが前記ｇＮＢのデータベースに前記ＵＥモビリティ制限を保存し、ＵＥモビリティ制限更新の確認を前記新ＡＭＦに送信し、前記新ＡＭＦによってＴＡＵ  ＡＣＣＥＰＴメッセージが前記ＵＥに送信される。前記ＵＥのデータベースに前記ＵＥモビリティ制限が保存され、前記ＵＥによってＴＡＵ  ＣОＭＰＬＥＴＥメッセージが前記新ＡＭＦに送信される。さらに、Ｘｎハンドオーバの場合、前記ＡＭＦは、パス切り替えレスポンスで前記ＵＥモビリティ制限を前記ｇＮＢに送信し、ハンドオーバコマンドで前記ＵＥモビリティ制限を前記ＵＥに送信する。Ｎ２ハンドオーバにおいて、前記ＡＭＦは、ハンドオーバリクエストで前記ＵＥモビリティ制限を前記ターゲットｇＮＢに送信し、ハンドオーバコマンドで前記ＵＥモビリティ制限を前記ＵＥに送信する。前記モビリティ制限は、ＴＡＵごとに前記ＵＥで更新され、前記ＵＥモビリティ制限は、前記ＴＡにマッピングされ、前記マッピングの情報は、トラッキングエリア識別（ＴＡＩ：Tracking Area Identity）リストと共に保存される。さらに、トラッキングエリア（ＴＡ：Tracking Area ）が禁止としてリストされた時、前記ハンドオーバは、拒絶される。さらに、ソースＮＧ（Ｒ）ＡＮは、ハンドオーバリクエストがターゲットＮＧ（Ｒ）ＡＮに送信される前に、前記ターゲットＮＧ（Ｒ）ＡＮ内の前記ＵＥモビリティ制限を前記ＡＭＦにリクエストする。
【００３１】
本発明の別の実施形態は、次世代ノードＢ（ｇＮＢ：generation nodeB）に測定報告を送信する異なる手段と、前記ｇＮＢに保存されたＮＲテーブル内のターゲットセルのモビリティ制限をチェックする手段と、前記ｇＮＢによる前記ターゲットセルの許可上のハンドオーバを実行する手段と、前記ｇＮＢによる前記ターゲットセルの不許可の上で前記セルへのハンドオーバを制限する手段と、を備え、前記ｇＮＢによる前記ターゲットセルの前記不許可であり、前記ｇＮＢは、前記ｇＮＢによる前記不許可の前記ターゲットセルの前記測定報告を再送することを、前記手段に通知する、通信システムを提供する。前記許可されたターゲットセルのさらなる検証のために測定報告をｇＮＢに送信する手段、前記ＮＲテーブル内のセルに対する前記モビリティ制限がＡＮＲのエントリにマッピングされる。前記ｇＮＢは、ターゲットセルごとの前記モビリティ制限のためのＡＭＦへのセットアップリクエストを含むリクエストメッセージを送信し、前記ＡＭＦから前記レスポンスを受信すると前記ＮＲテーブルを更新し、前記レスポンスは、ターゲットセル識別子ごとのモビリティ制限を含む。前記ｇＮＢは、前記ＡＭＦの構成の更新を含み、前記ＡＭＦから前記レスポンスを受信するとターゲットセル識別子ごとに前記モバイル制限を変更することによって前記ＮＲテーブルを更新する  リクエストメッセージを送信する。
【００３２】
本発明の別の実施形態は、無線ネットワークの通信システムを提供し、前記システムは、ＡＴＴＡＣＨリクエストメッセージをＡＭＦに送信する異なる手段と、ＵＥのサブスクリプションと場所情報を検証する手段と、ＵＥモビリティの前記ポリシーを検証する手段と、モビリティ制限の情報を含むＮＡＳ  ＳＭコマンドメッセージを前記ＵＥに送信する手段と、データベースに前記モビリティ制限を保存する手段と、ＮＡＳ  ＳＭ完了メッセージを整合性保護メッセージで前記ＡＭＦに送信する手段と、前記整合性保護メッセージで前記ＵＥによって送信され、前記受信された前記モビリティ制限を検証する手段と、前記ＵＥモビリティ制限をｇＮＢに送信する手段と、を備える。
【００３３】
本発明の別の実施形態は、無線ネットワークを介して少なくとも１つのＵＥと少なくとも１つのｇＮＢとを含む通信システムを提供し、前記システムは、ＡＴＴＡＣＨリクエストメッセージをＡＭＦに送信する異なる手段と、前記ＵＥを認証する手段と、ＮＡＳ  ＳＭを前記ＡＭＦに送信する手段と、前記ＵＥの場所情報、ｇＮＢのＩＤおよび前記ＥＣＧＩリストの整合性を検証する手段と、初期コンテキストセットアップリクエストメッセージを前記ｇＮＢに送信する手段と、データベースに前記ＵＥモビリティ制限を保存する手段と、前記ＵＥとＡＳセキュリティを確立する手段と、前記ＡＳセキュリティを前記ｇＮＢと確認する手段と、を備える。
【００３４】
本発明のさらに別の実施形態では、無線ネットワークを介した少なくとも１つのＵＥおよび少なくとも１つのｇＮＢを含む通信システムが提供され、前記システムは、ＴＡＵ手順をトリガする異なる手段と、前記ｇＮＢを介してＴＡＵリクエストを新ＡＭＦに送信する手段と、コンテキストリクエストメッセージを前記旧ＡＭＦに送信し、前記旧ＡＭＦは前記ＵＥコンテキストを前記新ＡＭＦに送信する手段と、前記ＵＥの前記場所を前記ＵＤＭに更新する手段と、新ＡＭＦのためのＵＥモビリティの前記ポリシーを検証する手段と、前記ｇＮＢへの前記ＵＥモビリティ制限を更新する手段と、前記ｇＮＢのデータベースに前記ＵＥモビリティ制限を保存する手段と、ＵＥモビリティ制限更新の確認を前記新ＡＭＦに送信する手段と、ＴＡＵ  ＡＣＣＥＰＴメッセージを前記ＵＥに送信する手段と、前記ＵＥのデータベースに前記ＵＥモビリティ制限を保存する手段と、ＴＡＵ  ＣОＭＰＬＥＴＥメッセージを前記新ＡＭＦに送信する手段と、を備える。Ｘｎハンドオーバの場合、前記ＡＭＦは、パス切り替えレスポンスで前記ＵＥモビリティ制限を前記ｇＮＢに送信し、ハンドオーバコマンドで前記ＵＥモビリティ制限を前記ＵＥに送信する。しかしながら、Ｎ２ハンドオーバにおいて、前記ＡＭＦは、ハンドオーバリクエストで前記ＵＥモビリティ制限を前記ターゲットｇＮＢに送信し、ハンドオーバコマンドで前記ＵＥモビリティ制限を前記ＵＥに送信する。前記モビリティ制限は、ＴＡＵごとに前記ＵＥで更新され、前記ＴＡにマッピングされ、前記マッピングの情報は、ＴＡＩリストと共に保存される。前記ＴＡが禁止としてリストされる時、前記ハンドオーバは拒絶される。しかしながら、ソースＮＧ（Ｒ）ＡＮは、ハンドオーバリクエストがターゲットＮＧ（Ｒ）ＡＮに送信される前に、ターゲットＮＧ（Ｒ）ＡＮ内の前記ＵＥモビリティ制限を前記ＡＭＦにリクエストする。
【００３５】
本発明のさらに別の実施形態では、無線ネットワーク内の通信のためのユーザ機器が提供され、プロセッサは、次世代ノードＢ（ｇＮＢ：generation nodeB）に測定報告を送信するように構成され、前記ｇＮＢは、前記ｇＮＢに保存されたＮＲテーブル内のターゲットセルのモビリティ制限をチェックし、前記ｇＮＢによって許可している前記ターゲットセルの許可にハンドオーバを実行し、前記ｇＮＢは、さらに前記ターゲットセルの不許可の前記セルへのハンドオーバを制限するように構成され、前記ｇＮＢは、前記プロセッサに、前記不許可の前記ターゲットセルの前記測定報告を再送させるように構成される。前記ｇＮＢは、前記プロセッサからの前記測定報告の受信時に許可された前記ターゲットセルを検証するようにさらに構成され、前記ＮＲテーブル内の前記セルに対する前記モビリティ制限は、ＡＮＲの前記エントリにマッピングされる。前記ｇＮＢはまた、ターゲットセルごとの前記モビリティ制限のためのＡＭＦへのセットアップリクエストを含むリクエストメッセージを送信するように構成され、前記ＡＭＦから前記レスポンスを受信すると前記ＮＲテーブルを更新するように構成され、前記レスポンスは、ターゲットセル識別子ごとのモビリティ制限を含む。前記ｇＮＢはまた、前記ＡＭＦの構成の更新を含むリクエストメッセージを送信するように構成され、前記ＡＭＦから前記レスポンスを受信するとターゲットセル識別子ごとに前記モバイル制限を変更することによって前記ＮＲテーブルを更新する。
【００３６】
本発明のさらに別の実施形態では、無線ネットワーク内の通信のためのユーザ機器が提供され、プロセッサは、ＡＴＴＡＣＨリクエストメッセージをＡＭＦに送信するように構成され、前記プロセッサの認証に関する前記ＡＭＦは、前記ＵＥのサブスクリプションと場所情報を検証するように構成され、ＰＣＦは、前記プロセッサのための前記ポリシーを検証するように構成され、前記プロセッサは、モビリティ制限の情報を含むＮＡＳ  ＳＭコマンドメッセージを前記ＡＭＦから受信するようにさらに構成され、メモリは、前記ＵＥのデータベースに前記モビリティ制限を保存するように構成され、前記プロセッサは、ＮＡＳ  ＳＭ完了メッセージを整合性保護メッセージで前記ＡＭＦに送信するように構成され、前記ＡＭＦは、前記整合性保護メッセージで前記プロセッサによって送信され、前記受信されたモビリティ制限を検証するように構成され、前記ＡＭＦによって前記ＵＥモビリティ制限を前記ｇＮＢに送信する。
【００３７】
本発明のさらに別の実施形態では、無線ネットワーク内の通信のためのユーザ機器が提供され、プロッセッサは、ＡＴＴＡＣＨリクエストメッセージを前記ＵＥからＡＭＦに送信するように構成され、前記ＡＭＦは、前記プロッセッサを認証するように構成され、前記プロセッサは、ＮＡＳ  ＳＭを前記ＡＭＦに送信するようにさらに構成され、前記ＡＭＦは、前記ＵＥの場所情報、ｇＮＢのＩＤおよびＥＣＧＩリストの整合性を検証するように構成され、初期コンテキストセットアップリクエストメッセージを前記ｇＮＢに送信し、前記ｇＮＢは、データベースに前記ＵＥモビリティ制限を保存するためのメモリを含み、前記ｇＮＢは、前記ＵＥとＡＳセキュリティを確立するように構成され、前記ＵＥは、前記ＡＳセキュリティを前記ｇＮＢに確認する。
【００３８】
本発明のさらに別の実施形態では、無線ネットワークにおける通信のためのユーザ機器が提供され、プロセッサは、ＴＡＵ手順をトリガし、前記ｇＮＢを介してＴＡＵリクエストを前記新ＡＭＦに送信するように構成され、前記新ＡＭＦは、コンテキストリクエストメッセージを前記旧ＡＭＦに送信するように構成され、前記旧ＡＭＦは、前記ＵＥコンテキストを前記新ＡＭＦに送信し、前記新ＡＭＦは、前記ＵＥの前記場所をＵＤＭに更新し、ＰＣＦは、前記新ＡＭＦのためのＵＥモビリティの前記ポリシーを検証し、前記新ＡＭＦは、前記ｇＮＢへの前記ＵＥモビリティ制限を更新するようにさらに構成され、前記ｇＮＢは、データベースに前記ＵＥモビリティ制限を保存するためのメモリを含み、ＵＥモビリティ制限更新の確認を前記新ＡＭＦに送信するように構成され、前記新ＡＭＦにＴＡＵ  ＡＣＣＥＰＴメッセージを前記ＵＥに送信させ、前記ＵＥは、データベースに前記モビリティ制限を保存するためのメモリを含み、ＴＡＵ  ＣОＭＰＬＥＴＥメッセージを前記新ＡＭＦに送信するように構成される。Ｘｎハンドオーバの場合、前記ＡＭＦは、パス切り替えレスポンスで前記ＵＥモビリティ制限を前記ｇＮＢに送信する。前記ＡＭＦはまた、ハンドオーバコマンドで前記ＵＥモビリティ制限を前記ＵＥに送信するように構成される。Ｎ２ハンドオーバにおいて、前記ＡＭＦは、ハンドオーバリクエストで前記ＵＥモビリティ制限を前記ターゲットｇＮＢに送信するように構成される。前記ＡＭＦは、ハンドオーバコマンドで前記ＵＥモビリティ制限を前記ＵＥに送信するように構成され、前記モビリティ制限は、ＴＡＵごとに前記ＵＥで更新され、前記ＵＥモビリティ制限は、前記ＴＡにマッピングされる。前記マッピングの情報は、ＴＡＩリストと共に保存され、前記ＴＡが禁止としてリストされる時、前記ハンドオーバは拒絶される。さらに、ソースＮＧ（Ｒ）ＡＮは、ハンドオーバリクエストがターゲットＮＧ（Ｒ）ＡＮに送信される前に、前記ターゲットＮＧ（Ｒ）ＡＮ内の前記ＵＥモビリティ制限を前記ＡＭＦにリクエストする。
【図面の簡単な説明】
【００３９】
本主題の上記およびさらなる目的、特徴、および利点は、添付の図面を参照した例示的な実施形態の以下の説明から明らかになる。
【００４０】
ただし、添付の図面は、参照番号とともに、本主題の典型的な実施形態のみを示しており、したがって、主題が他の同様な有効な実施形態を認めることができるため、その範囲を限定するものと見なされるべきではないことに留意されたい。
【００４１】
【図１】図１は、３ＧＰＰによるＡＮＲとその環境を示す。それは、ＡＮＲによるｅＮＢとＯ＆Ｍ間の相互作用を示す。
【図２Ａ】図２Ａは、本開示の方法によるハンドオーバ方法を示す。
【図２Ｂ】図２Ｂは、本開示の方法によるハンドオーバ方法を示す。
【図２Ｃ】図２Ｃは、本開示の方法によるハンドオーバ方法を示す。
【図２Ｄ】図２Ｄは、本開示の方法によるハンドオーバ方法を示す。
【図３】図３は、本開示に従って（ＵＥごとに）隣接セル制限情報をＵＥに送信することを示す。
【図４】図４は、本開示に従って、隣接セル制限情報を（ＵＥごとに）ｇＮＢに送信する手順を示す。
【図５】図５は、本開示に従って（ＵＥごとに）隣接セル制限情報を送信するための手順を示すフロー図を示す。
【図６】図６は、アイドルモードモビリティ中にＵＥモビリティ制限をプロビジョニングする手順を示す。
【図７】図７は、ＨＯを禁止ゾーンに制限する手順を示す。
【図８】図８は、無線ネットワークと通信するユーザ機器を示す。
【発明を実施するための形態】
【００４２】
次に、添付の図面を参照して例示的な実施形態を説明する。 しかしながら、本開示は、多くの異なる形態で具現化されてもよく、本明細書に記載される実施形態に限定されると解釈されるべきではない。 むしろ、これらの実施形態は、この開示が徹底的かつ完全であり、その範囲を当業者に完全に伝えるように提供されている。 添付の図面に示される特定の例示的な実施形態の詳細な説明で使用される用語は、限定することを意図していない。 図面において、同様の番号は同様の要素を指す。
【００４３】
ただし、特許請求の範囲の参照番号は、本主題の典型的な実施形態のみを示しており、したがって、その範囲を限定するものと見なされるべきではないことに留意されたい。
【００４４】
明細書は、いくつかにおいて、「ある（ａｎ）」、「１つの（ｏｎｅ）」または「いくつかの（ｓｏｍｅ）」実施形態を指す場合がある。これは、そのような参照のそれぞれが同じ実施形態を指すこと、またはその特徴が単一の実施形態にのみ適用されることを必ずしも意味しない。異なる実施形態の単一の特徴を組み合わせて、他の実施形態を提供することもできる。
【００４５】
本明細書で使用される単数形「１つ（ａ）」、「１つ（ａｎ）」、および「これ（ｔｈｅ）」は、特に明記しない限り、複数形も含むことを意図している。本明細書で使用される場合、用語「含む（ｉｎｃｌｕｄｅｓ）」、「備える（ｃｏｍｐｒｉｓｅｓ）」、「含んでいる（ｉｎｃｌｕｄｉｎｇ）」、および／または「備えている（ｃｏｍｐｒｉｓｉｎｇ）」は、述べられた特徴、整数、ステップ、操作、要素、および／または構成要素の存在を指定することがさらに理解される、ただし、１つ以上の他の機能、整数、ステップ、操作、要素、コンポーネント、および／またはそれらのグループの存在または追加を排除しません。要素が別の要素に「接続」または「結合」されていると呼ばれる場合、他の要素に直接接続または結合できること、または介在要素が存在する場合があることを理解されたい。さらに、本明細書で使用される「接続された」または「結合された」は、動作可能に接続または結合されたものを含み得る。本明細書で使用される「および／または」という用語は、列挙された関連するアイテムの１つまたは複数のありとあらゆる組み合わせおよび配置を含む。
【００４６】
特に定義されない限り、本明細書で使用されるすべての用語（技術用語および科学用語を含む）は、本開示が関係する当業者によって一般に理解されるのと同じ意味を有する。さらに、一般的に使用される辞書で定義されている用語などの用語は、関連技術の文脈における意味と一致する意味を持つと解釈されるべきであり、理想化されたまたは過度に形式的な意味で解釈されないことがさらに理解されることを、ここで明示的に定義する。
【００４７】
図は、一部の要素と機能エンティティのみを示す簡略化された構造を示し、すべてが実装とは異なる論理部である。表示される接続は論理接続である。実際の物理的な接続は異なる場合がある。構造が他の機能および構造も含み得ることは、当業者には明らかである。
【００４８】
また、図で説明されているすべての論理部には、部が機能するために必要なソフトウェアおよび／またはハードウェアコンポーネントが含まれる。さらに、各部は、暗黙的に理解される１つまたは複数のコンポーネントをそれ自体の中に含むことができる。これらの構成要素は、互いに動作可能に結合され、互いに通信して前記部の機能を実行するように構成されてもよい。
【００４９】
図２（Ａ）、図２（Ｂ）、図２（Ｃ）および図２（Ｄ）に示す本発明の実施形態では、隣接セル情報に加えて隣接関係テーブルを拡張することによるユーザ機器（ＵＥ：User Equipment）モビリティ制限のプロビジョニングを保護するための通信方法について説明する。
【００５０】
初期Ｓ１セットアップと構成更新に関するｇＮＢは、セルごとのモビリティ制限をＡＭＦにリクエストしてもよい。制限のセットアップの詳細な操作は、ドキュメント（３ＧＰＰ  ＴＳ  ３６．４１３  Ｖ１４．２．０（２０１７−０３））で説明されている。ｇＮＢは、Ｓ１セットアップリクエストをアクセス管理機能（ＡＭＦ：Access and Mobility Function）に送信し、ＡＭＦからｇＮＢへのＳ１セットアップレスポンスを受信すると、隣接関係（ＮＲ：Neighbour relation）テーブルを更新する。ドキュメント（ＴＳ  ３６．３００  Ｖ１４．２．０（２０１７−０３））で参照されているＡＮＲなどのテーブルは、隣接セル情報を含むｇＮＢで利用可能である。このテーブルは、{TCI (PCI + ECGI), No remove, No HO, No X2}で構成される。
【００５１】
さらに、制限の更新についても前述のドキュメントで詳しく説明されている。たとえば、構成の更新が必要な場合、図２Ｂに示すメッセージシーケンスを使用して、セルごとのモビリティ制限の更新をＡＭＦにリクエストできる。
【００５２】
図２Ｃは、（２０１）で、ＵＥが測定報告を次世代ノードＢ（ｇＮＢ： next generation nodeB）に送信するハンドオーバ方法を説明している。ＵＥから受信した測定報告を受信すると、ｇＮＢは、（２０２）で、ｇＮＢに保存された隣接関係（ＮＲ：Neighbour Relation）テーブル内のターゲットセルのモビリティ制限をチェックする。（２０３）で、モビリティ制限をチェックし、セルが許可される場合、（２０５）でハンドオーバを実行する。しかしながら、ステップ（２０３）でターゲットセルが不許可の場合、（２０４）でｇＮＢは、セルへのハンドオーバを制限し、測定報告を再度送信するようＵＥに通知する。ｇＮＢは、ＵＥから測定報告を受信するたびに、許可されたターゲットセルを検証し、ＮＲテーブル内のセルのモビリティ制限は、自動隣接関係関数（ＡＮＲ：Automatic Neighbour Relation function）のエントリにマッピングされる。ｇＮＢはまた、ターゲットセルごとのモビリティ制限のためのＳＥＴＵＰリクエストを含むリクエストメッセージをアクセス管理機能（ＡＭＦ：Access Management Function）に送信し、ｇＮＢは、ＡＭＦからのレスポンスを受信するとＮＲテーブルを更新する。ＡＭＦから受信したレスポンスは、ターゲットセル識別子ごとのモビリティ制限を含む。ｇＮＢはまた、ＡＭＦに構成更新を含むリクエストメッセージを送信するように構成され、ＡＭＦからレスポンスを受信すると、ｇＮＢは、ターゲットセル識別子ごとにモバイル制限を変更することによりＮＲテーブルを更新する。
【００５３】
図２Ｄでは、ＵＥが測定報告をｇＮＢに送信する時、ｇＮＢが制限されていないターゲットセルを検証し、ターゲットセルが制限されていない場合、その場合のみ、ハンドオーバが行われることが明確に説明されている。本発明は、許可されたターゲットセルをチェックすることにより、ＵＥが許可されたゾーン内に留まり、ＵＥのハンドオーバがサービスを失わないことを保証することを理解されたい。
【００５４】
以下の表は、ＮＲＴ内のセルエントリのモビリティ制限を、{TCI (PCI+ECGI), No remove, No HO, No X2, Forbidden}として、ＡＮＲで利用可能なエントリにマッピングできることを示す。
【表１】
0006866938.tif 000002
不許可／許可エリアにも同様のエントリを追加できることに注意してください。これを行う１つの方法は、不許可エリアの列を追加することである（禁止されたエリアと不許可エリアにチェックのないＴＣＩは、デフォルトで許可される）。
【００５５】
さらに、セル間およびＸｎハンドオーバ期間中、ｇＮＢはこの情報を使用して、ＵＥが禁止（Forbidden）とリストされているセルに移動しないようにする。しかしながら、ＡＮＲはｇＮＢ固有であるため、ＵＥごとにモビリティ制限情報を提供するために、ｇＮＢに（接続された各ＵＥに）、{TCI, Mobility restriction}を有するテーブルを、初期コンテキストセットアップメッセージ（Initial Context Setup Message）で送信し提供することができる。
【００５６】
図３に示す本発明の別の実施形態では、（ＵＥごとに）隣接セル制限情報をＵＥに送信することを開示している。この実施形態では、ＡＭＦは、ＵＥモビリティ制限情報をＵＥに送信する。
【００５７】
本発明のこの実施形態では、ステップ（３０１）で、ＡＴＴＡＣＨ（ＡＣＨ）リクエストメッセージがＵＥからＡＭＦに送信される。（３０２）で、ＵＥが認証される。ＵＥの認証は、異なる機能の異なる機能性によって実行でき、ＡＭＦは、アクセス機能（Access functions）に対してＵＥを認証でき、ＰＣＦは、ＵＥの異なるポリシー制御に対してＵＥを認証できる。（３０３）でＡＭＦは、ＵＥサブスクリプションと場所情報を検証する。（３０４）で、ポリシー制御機能（ＰＣＦ：Policy Control Function）によるＵＥモビリティのポリシーが検証される。サブスクリプション、場所、およびポリシーの検証の検証後、非アクセスストラタムセッション管理（ＮＡＳ  ＳＭ：Non-Access Stratum Session Management）コマンドメッセージが（３０５）でＡＭＦによってＵＥに送信され、ＮＡＳ  ＳＭコマンドはモビリティ制限情報を備える。モビリティ制限は、メモリであるＵＥのデータベースに保存される。（３０７）で、ＮＡＳ  ＳＭ完了メッセージが、整合性保護メッセージでＵＥによってＡＭＦに送信される。（３０８（ａ））で、ＡＭＦはメッセージの整合性を検証し、（３０８（ｂ））で、ＡＭＦはリプレイされたＵＥモビリティ制限を検証する。ハンドオーバ期間中に、ＵＥは保存された「ＵＥモビリティ制限（UE Mobility Restrictions）」をｇＮＢに送信し、ｇＮＢはこの情報を使用して、禁止されているセルに移動しないようにする。
【００５８】
図４に示す本発明の別の実施形態では、隣接セル制限情報を（ＵＥごとに）ｇＮＢに送信することを開示している。この実施形態では、ＡＭＦは、ＵＥモビリティ制限情報をｇＮＢに送信する。
【００５９】
本発明のこの実施形態では、（４０１）で、ＡＴＴＡＣＨリクエストメッセージがＵＥからＡＭＦに送信される。（４０２）で、ＵＥが認証される。ＵＥの認証は、異なる機能の異なる機能性によって行われる。ＡＭＦはアクセス機能に対してＵＥを認証でき、ＰＣＦはＵＥの異なるポリシー制御に対してＵＥを認証できる。（４０３）で、ＮＡＳ  ＳＭコマンドメッセージがＵＥによってＡＭＦに送信される。ＮＡＳ  ＳＭコマンドメッセージを受信したときのＡＭＦ。（４０５）で、ＡＭＦは、ＵＥ場所情報、ｇＮＢ  ＩＤ、およびＥ−ＵＴＲＡＮセルグローバル識別（ＥＣＧＩ：E-UTRAN Cell Global Identification）リストの整合性を検証する。ＵＥモビリティのＵＥポリシーを検証すると、ＡＭＦは（４０６）で、ＡＭＦとｇＮＢとの間のＮ２インタフェースで初期コンテキストセットアップリクエストメッセージをｇＮＢに送信する。（４０７）で、ＵＥモビリティ制限は、メモリであるｇＮＢのデータベースに保存される。ＵＥモビリティ制限データを保存すると、ｇＮＢは、ＵＥとのＡＳセキュリティを確立し（４０８）、ＵＥは、ｇＮＢとのＡＳセキュリティを確認する。したがって、ＵＥとｇＮＢは保存された「ＵＥモビリティ制限（UE Mobility Restrictions）」を使用して、ＵＥが禁止されているセルに移動しないようにする。
【００６０】
しかしながら、上述した実施形態の実装に問題がある可能性があり、別々に、ＵＥなどのマルウェアに感染することがある。したがって、ＵＥとｇＮＢの両方がＵＥモビリティ制限を含む本発明の別の実施形態が提供される。
【００６１】
本発明のこの実施形態では、図５に示されるように、（５０１）で、ＡＴＴＡＣＨリクエストがＵＥによってＡＭＦに送信される。（５０２）で、ＵＥは認証され、必要に応じて認証およびセッションキー配布が実行される。ＵＥの認証は、異なる機能の異なる機能性によって行われ、ＡＭＦはアクセス機能に対してＵＥを認証でき、ＰＣＦはＵＥの異なるポリシー制御に対してＵＥを認証できる。（５０３）で、ＵＥサブスクリプション、場所、およびポリシーがＡＭＦによって検証され、検証に基づいて、モビリティ制限が設定される。（５０４）で、ＡＭＦは、ＮＡＳ  ＳＭコマンドメッセージでＵＥモビリティ制限をＵＥに送信する。（５０５）で、ＵＥは、ＵＥモビリティ制限を保存する。（５０６）で、ＵＥは、ＡＭＦに送信され整合性保護されたＮＡＳ  ＳＭ完了メッセージで、モビリティ制限をリプレイする。（５０７）で、ＡＭＦは受信したモビリティ制限を検証する。５０８で、ＡＭＦはＵＥモビリティ制限をｇＮＢに送信する。ＵＥはモビリティ制限をｇＮＢに送信する。
【００６２】
ｇＮＢは、保持している制限情報でそれを検証してから、ハンドオーバの決定を行う。制限が一致しない場合、ＵＥまたはｅＮＢが不正であることを意味する。
【００６３】
図６に示す本発明の別の実施形態では、モビリティ期間中のＵＥモビリティ制限のプロビジョニングを開示し、それは、アイドルモードモビリティ期間中である。
【００６４】
本発明のこの実施形態では、（６０１）で、トラッキングエリア更新（ＴＡＵ：Tracking Area Update）手順がＵＥによってトリガされる。（６０２）で、ＴＡＵリクエストがＵＥによって新ＡＭＦに送信される。（６０３）で、ＴＡＵリクエストがさらにｇＮＢに送信される。（６０４）で、コンテキストリクエストメッセージが新ＡＭＦによって旧ＡＭＦに送信される。コンテキストリクエストメッセージを受信すると、（６０５）で、旧ＡＭＦはＵＥコンテキストを新ＡＭＦに送信する。（６０６）で、ＵＥの場所は、新ＡＭＦによって統合データ管理（ＵＤＭ：Unified Data Management）に更新される。（６０７）で、ＰＣＦは新ＡＭＦのＵＥモビリティのポリシーを検証する。（６０８）で、新ＡＭＦはＵＥモビリティ制限をｇＮＢに更新する。（６０９）で、ｇＮＢは、ＵＥモビリティ制限をメモリであるｇＮＢのデータベースに保存する。（６１０）で、ｇＮＢは、ＵＥモビリティ制限の更新の肯定確認（ＡＣＫ：Acknowledgement）を新ＡＭＦに送信する。（６１１）で、ＴＡＵ  ＡＣＣＥＰＴメッセージが新ＡＭＦによってＵＥに送信される。ＴＡＵ  ＡＣＣＥＰＴメッセージを受信すると、ＵＥモビリティ制限は、（６１２）で、ＵＥのメモリであるデータベースに保存される。（６１３）で、ＴＡＵ  ＣＯＭＰＥＬＴＥメッセージがＵＥによって新ＡＭＦに送信される。ＴＡＵ  ＣＯＭＰＥＬＴＥメッセージは、ＵＥモビリティの制限を含む。本発明では、アイドルモードモビリティ期間中に、ＵＥの場所の更新がある時、ＵＥモビリティのポリシーは、ＰＣＦまたはそのような情報を処理する任意のエンティティで検証される。さらに、ＵＥモビリティ制限は、ＵＥモビリティ制限更新メッセージを使用してｇＮＢで更新される。
【００６５】
さらに、Ｘｎハンドオーバの場合、ＡＭＦはパス切り替えレスポンスでｇＮＢにＵＥモビリティ制限を送信し、ハンドオーバコマンドでＵＥにＵＥモビリティ制限を送信する。Ｎ２ハンドオーバでは、ＡＭＦはハンドオーバリクエストでＵＥモビリティ制限をターゲットｇＮＢに送信し、ハンドオーバコマンドでＵＥモビリティ制限をＵＥに送信する。
【００６６】
モビリティ制限は、ＴＡＵごとにＵＥで更新され、ＵＥモビリティ制限はＴＡにマッピングされ、マッピング情報は、トラッキングエリア識別（ＴＡＩ：Tracking Area Identity）リストとともに保存される。さらに、トラッキングエリア（ＴＡ：Tracking Area）が禁止（Forbidden）としてリストされている場合、ハンドオーバは拒絶される。さらに、ソースＮＧ（Ｒ）ＡＮは、ハンドオーバリクエストがターゲットＮＧ（Ｒ）ＡＮに送信される前に、ターゲットＮＧ（Ｒ）ＡＮ内のＵＥモビリティ制限をＡＭＦにリクエストする。
【００６７】
本発明は、ＵＥモビリティ制限がＴＡにマッピングされる解決策も提供する。したがって、モビリティ制限がＴＡごとに設定されている場合、この情報は、ＴＡＵごとにＵＥで更新できる。この情報は、下表に示すように、ＴＡＩリストとともに保存できる。
【表２】
0006866938.tif 000003
【００６８】
さらに、ドキュメントＴＳ  ３６．４１３  Ｖ１４．２．０（２０１７−０３）条項８．３．１．２では、ＭＭＥからｅＮＢに送信される初期コンテキストセットアップメッセージのオプションのＩＥとして、ハンドオーバ制限リストに言及している。このＩＥは、ＵＥがハンドオーバされることができない禁止されたＴＡに関する情報で構成される。
【００６９】
ＴＳ  ２３．５０１  Ｖ０．４．０（２０１７−０４）条項５．３．４．１．１では、「ＣＭ−ＣＯＮＮＥＣＴＥＤ状態では、コアネットワークは、ハンドオーバ制限リストとともに、無線アクセスネットワークにモビリティ制限を提供する」と述べている。
【００７０】
しかしながら、５Ｇでは、このＩＥを必須にする必要がある。ｇＮＢは、{TAI, UE mobility restriction (ＵＥモビリティ制限)}をハンドオーバ制限とともに使用して、ＵＥが禁止ゾーンにハンドオーバされないことを保証することができる。
【００７１】
さらに、図７に示すように、ハンドオーバ（Hand Over）を禁止ゾーンに制限する場合、ハンドオーバの場合、ＵＥは強制的に、（完全に保護されている）ＵＥモビリティ制限情報をソースｇＮＢに送信する必要がある。ｇＮＢは、この情報とハンドオーバ制限リストの制限を使用して、ＴＡが禁止されているかどうかを確認する。ＴＡが禁止としてリストされている場合、ハンドオーバは拒絶される。モビリティ期間中にＴＡがＴＡリストで利用可能でない場合、ソースＮＧ（Ｒ）ＡＮは、ハンドオーバリクエストがターゲットＮＧ（Ｒ）ＡＮに送信される前に、ターゲットＮＧ（Ｒ）ＡＮ内のＵＥモビリティ制限をＡＭＦにリクエストする。
【００７２】
本発明はまた、測定報告を次世代ノードＢ（ｇＮＢ：next generation nodeB）に送信するための異なる手段を備える通信システムを開示する。本発明はまた、ｇＮＢに保存されたＮＲテーブル内のターゲットセルのモビリティ制限をチェックし、ｇＮＢによるターゲットセルの不許可でセルへのハンドオーバを制限するために、ｇＮＢによるターゲットセルの許可でハンドオーバを実行する手段を提供し、ｇＮＢによるターゲットセルの不許可で、ｇＮＢは測定報告を再送信するように該手段に通知する。許可されたターゲットセルのさらなる検証のために測定報告をｇＮＢに送信する手段で、ＮＲテーブル内のセルのモビリティ制限がＡＮＲのエントリにマッピングされる。ｇＮＢは、ターゲットセルごとのモビリティ制限のためのセットアップリクエストを含むリクエストメッセージをＡＭＦに送信し、ＡＭＦからのレスポンスを受信するとＮＲテーブルを更新し、レスポンスはターゲットセル識別子ごとのモビリティ制限を含む。ｇＮＢは、構成更新を含むリクエストメッセージをＡＭＦにさらに送信し、ＡＭＦからレスポンスを受信すると、ターゲットセル識別子ごとにモバイル制限を変更することによりＮＲテーブルを更新する。
【００７３】
本発明はまた、ＡＴＴＡＣＨリクエストメッセージをＡＭＦに送信するための異なる手段を含む無線ネットワークの通信システムを開示する。本発明はまた、ＵＥサブスクリプションおよび場所情報を検証する手段と、ＵＥモビリティのポリシーを検証する手段と、ＮＡＳ  ＳＭコマンドメッセージをＵＥに送信する手段と、を有し、ＮＡＳ  ＳＭコマンドはモビリティ制限情報を含み、モビリティ制限をデータベースに保存する手段と、ＮＡＳ  ＳＭ完了メッセージを整合性保護メッセージでＡＭＦに送信する手段と、整合性保護メッセージでＵＥによって送信され、受信されたモビリティ制限を検証する手段と、ＵＥモビリティ制限をｇＮＢに送信する手段と、を有する。
【００７４】
本発明はさらに、無線ネットワークを介して少なくとも１つのＵＥと少なくとも１つのｇＮＢとを含む通信システムを開示し、このシステムは、ＡＴＴＡＣＨリクエストメッセージをＡＭＦに送信する異なる手段と、ＵＥの認証する手段と、ＮＡＳ  ＳＭをＡＭＦに送信する手段と、ＵＥの場所情報、ｇＮＢ  ＩＤ、およびＥＣＧＩリストの整合性を検証する手段と、初期コンテキスト設定リクエストメッセージをｇＮＢに送信する手段と、ＵＥモビリティ制限をデータベースに保存する手段と、ＵＥでＡＳセキュリティを確立する手段と、ＡＳセキュリティをｇＮＢで確認する手段と、を備える。
【００７５】
本発明はまた、無線ネットワークを介して少なくとも１つのＵＥと少なくとも１つのｇＮＢとを含む通信システムを提供し、このシステムは、ＴＡＵ手順をトリガする異なる手段と、ｇＮＢを介して新ＡＭＦにＴＡＵリクエストを送信する手段と、コンテキストリクエストメッセージを旧ＡＭＦに送信する手段と、を備え、旧ＡＭＦはＵＥコンテキストを新ＡＭＦに送信し、ＵＥの場所をＵＤＭに更新する手段と、新ＡＭＦのＵＥモビリティのポリシーを検証する手段と、ＵＥモビリティ制限をｇＮＢに更新する手段と、ＵＥモビリティ制限をｇＮＢのデータベースに保存する手段と、ＵＥモビリティ制限更新の確認を新ＡＭＦに送信する手段と、ＴＡＵ  ＡＣＣＥＰＴメッセージをＵＥに送信する手段と、ＵＥモビリティ制限をＵＥのデータベースに保存する手段と、ＴＡＵ  ＣＯＭＰＥＬＴＥメッセージを新ＡＭＦに送信する手段と、を備える。Ｘｎハンドオーバの場合、ＡＭＦはパス切り替えレスポンスでＵＥモビリティ制限をｇＮＢに送信し、ハンドオーバコマンドでＵＥモビリティ制限をＵＥに送信する。しかしながら、Ｎ２ハンドオーバでは、ＡＭＦは、ハンドオーバリクエストでＵＥモビリティ制限をターゲットｇＮＢに送信し、ハンドオーバコマンドでＵＥモビリティ制限をＵＥに送信する。モビリティ制限は、ＴＡＵごとにＵＥで更新され、ＴＡにマッピングされ、マッピング情報はＴＡＩリストに保存される。ＴＡが禁止としてリストされている場合、ハンドオーバは拒絶される。しかしながら、ソースＮＧ（Ｒ）ＡＮは、ハンドオーバリクエストがターゲットＮＧ（Ｒ）ＡＮに送信される前に、ターゲットＮＧ（Ｒ）ＡＮ内のＵＥモビリティ制限をＡＭＦにリクエストする。
【００７６】
本発明はまた、図８に示されるような無線／通信ネットワーク（８１４）内の通信のためのユーザ機器（８１０）を開示する。プロセッサ（８１２）は、測定報告を次世代ｎｏｄｅＢ（ｇＮＢ：next generation nodeB）（８１５）に送信するように構成され、ｇＮＢ（８１５）は、ｇＮＢに保存されたＮＲテーブル内のターゲットセルのモビリティ制限をチェックし、許可しているターゲットセルの場合、ｇＮＢ（８１５）によってハンドオーバを実行し、ｇＮＢ（８１５）は、不許可のターゲットセルの場合にセルへのハンドオーバを制限するようにさらに構成され、ｇＮＢ（８１５）は、プロセッサ（８１２）に、不許可のターゲットセルのトランシーバ（８１１）を通じて測定報告を再送信させる。ｇＮＢ（８１５）は、プロセッサ（８１２）からの測定報告の受信時に、許可されたターゲットセルを検証するようにさらに構成され、ＮＲテーブル内のセルのモビリティ制限はＡＮＲのエントリにマッピングされる。ｇＮＢはまた、ターゲットセルごとのモビリティ制限のためにＡＭＦ（８１６）に送信されたセットアップリクエストを含むリクエストメッセージを送信し、ＡＭＦ（８１６）からレスポンスを受信するとＮＲテーブルを更新するように構成され、レスポンスは、ターゲットセル識別子ごとにモビリティ制限を含む。ｇＮＢ（８１５）はまた、ＡＭＦ（８１６）に送信された構成更新を含むリクエストメッセージを送信し、ＡＭＦ（８１６）からレスポンスを受信すると、ターゲットセル識別子ごとにモバイル制限を変更することによりＮＲテーブルを更新するように構成される。
【００７７】
本発明は、無線／通信ネットワーク（８１４）内の通信のためのユーザ機器（８１０）をさらに開示し、プロセッサ（８１２）は、ＡＴＴＡＣＨリクエストメッセージをＡＭＦ（８１６）に送信するように構成され、プロセッサ（８１２）を認証するＡＭＦ（８１６）は、ＵＥ（８１０）サブスクリプションおよび場所情報を検証するように構成され、ＰＣＦ（８１８）はプロセッサ（８１２）のポリシーを検証するように構成され、プロセッサ（８１２）は、ＡＭＦ（８１６）からＮＡＳ  ＳＭコマンドメッセージを受信するように構成され、ＮＡＳ  ＳＭコマンドは、モビリティ制限情報を備え、メモリ（８１３）は、モビリティ制限をＵＥ（８１０）のデータベースに保存するように構成され、プロセッサ（８１２）は、整合性保護メッセージでＮＡＳ  ＳＭ完了メッセージをＡＭＦ（８１６）に送信するように構成され、ＡＭＦ（８１６）は、整合性保護メッセージでプロセッサによって送信され、受信されたモビリティ制限を検証し、ＡＭＦ（８１６）によってｇＮＢ（８１５）にＵＥモビリティ制限を送信するように構成される。
【００７８】
本発明はまた、無線ネットワーク（８１４）内の通信のためのユーザ機器（８１０）を開示し、プロセッサ（８１２）は、トランシーバ（８１１）を通じてＡＴＴＡＣＨリクエストメッセージをＡＭＦ（８１６）に送信するように構成され、ＡＭＦ（８１６）は、プロセッサ（８１２）を認証するように構成され、プロセッサ（８１２）は、ＮＡＳ  ＳＭをＡＭＦ（８１６）に送信するようにさらに構成され、ＡＭＦ（８１６）は、ＵＥ（８１０）の場所情報、ｇＮＢ  ＩＤ、およびＥＣＧＩリストの整合性を検証し、初期コンテキスト設定リクエストメッセージをｇＮＢ（８１５）に送信し、ｇＮＢ（８１５）は、ＵＥモビリティ制限をデータベースに保存するためのメモリを備え、ｇＮＢ（８１５）は、ＵＥ（８１０）とＡＳセキュリティを確立するようにさらに構成され、ＵＥはｇＮＢ（８１５）にＡＳセキュリティを確認する。
【００７９】
本発明はさらに、無線／通信ネットワーク（８１４）内の通信のためのユーザ機器（８１０）を提供し、プロセッサ（８１２）は、ＴＡＵ手順をトリガし、ｇＮＢ（８１５）を介してＴＡＵリクエストを新ＡＭＦ（８１６）に送信するように構成され、新ＡＭＦは、コンテキストリクエストメッセージを旧ＡＭＦに送信するように構成され、旧ＡＭＦは、ＵＥコンテキストを新ＡＭＦに送信し、新ＡＭＦは、ＵＥ（８１０）の場所をＵＤＭ（８１７）に更新し、ＰＣＦ（８１８）は、新ＡＭＦのＵＥモビリティのポリシーを検証し、新ＡＭＦは、ＵＥモビリティの制限をｇＮＢ（８１５）に更新するようにさらに構成され、ｇＮＢは、ＵＥモビリティ制限をデータベースに保存するメモリを備え、ＵＥモビリティ制限更新の肯定確認を新ＡＭＦに送信するように構成され、新ＡＭＦにＴＡＵ  ＡＣＣＥＰＴメッセージをＵＥに送信させ、ＵＥ（８１０）は、モビリティ制限を保存するメモリ（８１３）であるデータベースを備え、ＴＡＵ  ＣＯＭＰＥＬＴＥメッセージを新ＡＭＦに送信するように構成される。Ｘｎハンドオーバの場合、ＡＭＦは、パス切り替えレスポンスでＵＥモビリティ制限をｇＮＢ（８１５）に送信するように構成される。ＡＭＦ（８１６）はまた、ハンドオーバコマンドでＵＥモビリティ制限をＵＥに送信するように構成される。Ｎ２ハンドオーバでは、ＡＭＦ（８１６）は、ハンドオーバリクエストでＵＥモビリティ制限をターゲットｇＮＢに送信するように構成される。ハンドオーバコマンドで、ＡＭＦ（８１６）は、ＵＥにＵＥモビリティ制限を送信するように構成され、モビリティ制限は、ＴＡＵごとにＵＥで更新され、ＵＥモビリティ制限はＴＡとともにマッピングされる。マッピング情報はＴＡＩリストとともに保存され、ＴＡが禁止（Forbidden）としてリストされている場合、ハンドオーバは拒絶される。さらに、ソースＮＧ（Ｒ）ＡＮは、ハンドオーバリクエストがターゲットＮＧ（Ｒ）ＡＮに送信される前に、ターゲットＮＧ（Ｒ）ＡＮ内のＵＥモビリティ制限をＡＭＦ（８１６）にリクエストする。
【００８０】
利点
本開示は、所定の位置におけるＵＥおよびｇＮＢへのモビリティ制限の安全なプロビジョニングを提供し、したがって、接続状態中の制限エリアへのＵＥの移動を防止する。本発明はまた、トラッキングエリアリストおよび拡張ＮＲテーブル機能を備えたモビリティ制限をマップする。当業者によって理解されるように、本開示は、方法および装置として具現化される。したがって、本開示は、完全にハードウェアの実施形態、ソフトウェアの実施形態、またはソフトウェアとハードウェアの態様を組み合わせた実施形態の形をとることができる。
【００８１】
ブロック図の各ブロックは、コンピュータプログラムの命令によって実装できることが理解される。これらのコンピュータプログラム命令は、汎用コンピュータ、専用コンピュータ、またはその他のプログラム可能なデータ処理装置のプロセッサに提供され、コンピュータのプロセッサまたは他のプログラム可能なデータ処理装置を介して実行される命令が、フローチャートおよび／またはブロック図ブロックで指定された機能／行為を実装するための手段を作成するような機械を製造する。汎用プロセッサは、マイクロプロセッサでもよいが、代わりに、プロセッサは任意の従来のプロセッサ、コントローラ、マイクロコントローラ、またはステートマシンでもよい。プロセッサは、コンピューティングデバイスの組み合わせ、たとえば複数のマイクロプロセッサ、１つまたは複数のマイクロプロセッサ、または他のそのような構成として実装してもよい。
【００８２】
本明細書で開示される例に関連して説明される方法またはアルゴリズムは、ハードウェア、プロセッサによって実行されるソフトウェアモジュール、または２つの組み合わせで直接具現化されてもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている他の任意の形式の記憶媒体に有ってもよい。記憶媒体は、プロセッサが記憶媒体から情報を読み取り、記憶媒体に情報を書き込むことができるように、プロセッサに結合されてもよい。別の方法では、記憶媒体はプロセッサと一体化していてもよい。プロセッサおよび記憶媒体は、ＡＳＩＣに有ってもよい。
【００８３】
開示された例の前述の説明は、当業者が本発明を作成または使用できるようにするために提供される。これらの例に対する様々な修正は、当業者には容易に明らかであり、本明細書で定義される一般的な原理は、本発明の意図または範囲から逸脱することなく他の例に適用され得る。したがって、本発明は、本明細書に示される例に限定されることを意図するものではなく、本明細書に開示される原理および新規の特徴と一致する最も広い範囲を与えられるべきである。
【００８４】
この出願は、２０１７年５月２９日に提出されたインド特許出願第２０１７１１０１８７５０号に基づく優先権の利益に基づいており、その開示は参照により全体が本明細書に組み込まれる。
【符号の説明】
【００８５】
８１０  ユーザ機器
８１１  トランシーバ
８１２  プロセッサ
８１３  メモリ
８１４  無線ネットワーク
８１５  ｇＮＢ
８１６  ＡＭＦ
８１７  ＵＤＭ
８１８  ＰＣＦ
【図１】
0006866938.tif 000004
【図２Ａ】
0006866938.tif 000005
【図２Ｂ】
0006866938.tif 000006
【図２Ｃ】
0006866938.tif 000007
【図２Ｄ】
0006866938.tif 000008
【図３】
0006866938.tif 000009
【図４】
0006866938.tif 000010
【図５】
0006866938.tif 000011
【図６】
0006866938.tif 000012
【図７】
0006866938.tif 000013
【図８】
0006866938.tif 000014